(57)【要約】    【課題】  螺子なしでコネクタが取付けられ、而もがたつきのないコネクタの取付け構造を提供する。    【解決手段】  取付け面４ａに形成された孔又は切欠に嵌入する嵌入部１ａと、止め孔１４を有するフランジ部６とを有するコネクタの取付け構造であって、前記嵌入部には嵌入方向に対して直角方向に拡縮する板バネ１２が設けられ、前記取付け面のフランジ当接部に前記止め孔に嵌合可能な凸部１５が形成され、前記嵌入部を前記孔又は切欠に嵌入した状態で前記板バネが拡大して、該板バネ先端と前記フランジ部間に前記取付け面を挾持し、前記凸部が前記止め孔に嵌合する様構成した。    【選択図】          図１
2009021096.tif 000002
【特許請求の範囲】
【請求項１】
取付け面に形成された孔又は切欠に嵌入する嵌入部と、止め孔を有するフランジ部とを有するコネクタの取付け構造であって、前記嵌入部には嵌入方向に対して直角方向に拡縮する板バネが設けられ、前記取付け面のフランジ当接部に前記止め孔に嵌合可能な凸部が形成され、前記嵌入部を前記孔又は切欠に嵌入した状態で前記板バネが拡大して、該板バネ先端と前記フランジ部間に前記取付け面を挾持し、前記凸部が前記止め孔に嵌合する様構成したことを特徴とするコネクタの取付け構造。
【発明の詳細な説明】
【技術分野】
【０００１】
本発明は、光ケーブルを接続する為の光コネクタ、或は電気ケーブルを接続する為の電気コネクタ等のコネクタをシャーシ等に取付ける為の取付け構造に関するものである。
【背景技術】
【０００２】
コネクタ、例えば光コネクタをシャーシに取付ける従来の構造としては、図５〜図７に示されるものがある。
【０００３】
図中、１はシャーシ側に取付けられる固定側コネクタ、２はケーブル先端に設けられるケーブルコネクタを示している。
【０００４】
前記固定側コネクタ１は、シャーシ３に直接取付けられる場合もあるが、図示では支持金具４を介して前記シャーシ３に取付けられる場合を示している。
【０００５】
前記支持金具４はＬ字状をしており、該支持金具４の取付け面４ａには前記固定側コネクタ１が嵌合する切欠部５が形成されている。
【０００６】
前記固定側コネクタ１は固定用のフランジ部６を有しており、該フランジ部６は前記固定側コネクタ１の中途部から張出しており、該固定側コネクタ１の嵌入部１ａを前記切欠部５に挿通した状態で、前記フランジ部６を螺子７により前記取付け面４ａに固定することで、前記固定側コネクタ１を前記支持金具４に取付けている。
【０００７】
前記固定側コネクタ１を前記螺子７により取付ける方法では、取付けに要する時間が掛り、前記固定側コネクタ１の数が多くなると、作業性が悪く、取付け作業工数が増大して、能率が悪いと共にコストが増大する。
【０００８】
又、固定用のバネを有し、前記螺子７を用いないでシャーシに取付けられる固定側コネクタ１があり、斯かる固定側コネクタ１を図８〜図１０により説明する。
【０００９】
シャーシ３の取付け面３ａにコネクタ取付け孔１１が穿設される。前記固定側コネクタ１の嵌入部１ａには板バネ１２が装着される。該板バネ１２は、嵌入側の端（以下先端）から後端に向って前記嵌入部１ａから離反する方向に傾斜しており、前記板バネ１２の先端とフランジ部６との間には前記取付け面３ａの板厚分に相当する隙間が形成される。
【００１０】
前記固定側コネクタ１を前記シャーシ３に取付ける場合は、前記嵌入部１ａを前記コネクタ取付け孔１１に嵌入する。嵌入途中では、前記板バネ１２が前記コネクタ取付け孔１１の周縁に押されて撓み、前記嵌入部１ａに密着する様に縮小する。完全に嵌入されると、前記板バネ１２が弾性により復帰拡大して、該板バネ１２の先端が前記コネクタ取付け孔１１より広がり、前記取付け面３ａの内側面に当接する。前記板バネ１２の先端と前記フランジ部６との間で前記取付け面３ａを挾持する状態となり、前記固定側コネクタ１が前記シャーシ３に固定される。
【００１１】
図８〜図１０で示される従来の光コネクタの取付け構造では、前記固定側コネクタ１の装入方向に対して直角方向、即ち取付け面３ａに対して平行な方向の拘束力は、該取付け面３ａと前記フランジ部６、前記板バネ１２間の摩擦力だけであるので、取付け構造としては前記コネクタ取付け孔１１に嵌入する方法に限られ、図５〜図７で示した切欠部５に固定側コネクタ１を取付けることはできない。
【００１２】
更に、前記コネクタ取付け孔１１と前記嵌入部１ａ間の隙間分だけがたつくことになる。この為、使用者側の印象を損い、商品価値を低下させる虞れがある。
【００１３】
尚、板バネを用い、螺子なしで光コネクタを取付ける構造としては特許文献１に示されるものがある。
【００１４】
【特許文献１】特開２００３−３１５６２６号公報
【発明の開示】
【発明が解決しようとする課題】
【００１５】
本発明は斯かる実情に鑑み、螺子なしで光コネクタ等のコネクタが取付けられ、而もがたつきのないコネクタの取付け構造を提供するものである。
【課題を解決するための手段】
【００１６】
本発明は、取付け面に形成された孔又は切欠に嵌入する嵌入部と、止め孔を有するフランジ部とを有するコネクタの取付け構造であって、前記嵌入部には嵌入方向に対して直角方向に拡縮する板バネが設けられ、前記取付け面のフランジ当接部に前記止め孔に嵌合可能な凸部が形成され、前記嵌入部を前記孔又は切欠に嵌入した状態で前記板バネが拡大して、該板バネ先端と前記フランジ部間に前記取付け面を挾持し、前記凸部が前記止め孔に嵌合する様構成したコネクタの取付け構造に関するものである。
【発明の効果】
【００１７】
本発明によれば、取付け面に形成された孔又は切欠に嵌入する嵌入部と、止め孔を有するフランジ部とを有するコネクタの取付け構造であって、前記嵌入部には嵌入方向に対して直角方向に拡縮する板バネが設けられ、前記取付け面のフランジ当接部に前記止め孔に嵌合可能な凸部が形成され、前記嵌入部を前記孔又は切欠に嵌入した状態で前記板バネが拡大して、該板バネ先端と前記フランジ部間に前記取付け面を挾持し、前記凸部が前記止め孔に嵌合する様構成したので、コネクタの取付けは嵌入部を孔又は切欠に嵌入するだけで、螺子止め作業が不要であり、又凸部と止め孔との嵌合でがたつきが抑止され、作業性が向上すると共に製品価値の向上が図れるという優れた効果を発揮する。
【発明を実施するための最良の形態】
【００１８】
以下、図面を参照しつつ本発明を実施する為の最良の形態を説明する。
【００１９】
図１〜図４は本発明に係る光コネクタの取付け構造を示し、図中、図５〜図７、図８〜図１０で示したものと同等のものには同符号を付してある。
【００２０】
本発明では、板バネ１２を用いて、螺子なしで固定側コネクタ１を固定すると共にフランジ部６に穿設されている止め孔１４を利用して位置決めを行うものである。又、図示は、前記固定側コネクタ１が切欠部５に嵌入されて取付けられた場合である。
【００２１】
シャーシ３にＬ字状の支持金具４が取付けられ、該支持金具４の取付け面４ａには前記切欠部５が形成されている。該切欠部５には前記固定側コネクタ１の嵌入部１ａが嵌入する様になっており、前記固定側コネクタ１の前記フランジ部６は前記取付け面４ａの外面側に当接する様になっている。
【００２２】
前記フランジ部６には螺子止め用の前記止め孔１４が穿設されており、前記取付け面４ａには前記止め孔１４と合致する位置に、外面側に突出し、前記止め孔１４に嵌合可能である凸部１５が形成されている。
【００２３】
該凸部１５の形成方法としては種々考えられ、例えば、該凸部１５は孔抜きの剪断加工で、完全に孔抜きをせず抜き部分の一部が突出した状態とする（図４参照）、所謂半抜き加工により形成する。或は、塑性加工により、外面側に突出する半球状の凸部を形成する等である。
【００２４】
前記嵌入部１ａには前記板バネ１２が設けられ、該板バネ１２は、前述した様に嵌入側の端（以下先端）から後端に向って前記嵌入部１ａから離反する方向に傾斜しており、前記板バネ１２の先端と前記フランジ部６との間には取付け面４ａの板厚分に相当する隙間が形成されている。
【００２５】
前記固定側コネクタ１を前記支持金具４に取付ける場合は、前記嵌入部１ａを前記切欠部５に嵌入する。嵌入途中では、前記板バネ１２が前記切欠部５の周縁に押されて撓み、前記嵌入部１ａに密着する様に縮小する。完全に嵌入されると、前記板バネ１２が弾性により復帰拡大して、該板バネ１２の先端が前記切欠部５より広がり、前記取付け面４ａの内側面に当接する。前記板バネ１２の先端と前記フランジ部６との間で前記取付け面４ａを挾持する状態となる。
【００２６】
又、前記固定側コネクタ１が前記切欠部５の中心に位置合せされると、前記凸部１５が前記止め孔１４に嵌合し、前記固定側コネクタ１の嵌入方向に対して直角方向、即ち前記取付け面４ａに対して平行な方向の位置決めがなされ、該方向の動きが拘束される。
【００２７】
従って、前記固定側コネクタ１は前記シャーシ３にがたつきなく固定される。
【００２８】
尚、前記凸部１５と前記止め孔１４との嵌合で、取付け面に対して平行な方向の動きが拘束されることで、上述した様に、切欠部５への取付けが可能となる。又、図８〜図１０で示したコネクタ取付け孔１１への取付けも可能であることは言う迄もなく、固定側コネクタ１を取付ける場合の制約条件が少なくなる。
【図面の簡単な説明】
【００２９】
【図１】本発明の実施の形態を示す平面図である。
【図２】同前側面図である。
【図３】同前正面図である。
【図４】本発明に於ける凸部部分の拡大断面図である。
【図５】従来の光コネクタの取付け構造を示す平面図である。
【図６】同前側面図である。
【図７】同前正面図である。
【図８】他の従来の光コネクタの取付け構造を示す平断面図である。
【図９】同前側面図である。
【図１０】同前正面図である。
【符号の説明】
【００３０】
１              固定側コネクタ
２              ケーブルコネクタ
３              シャーシ
３ａ            取付け面
４              支持金具
４ａ            取付け面
５              切欠部
６              フランジ部
７              螺子
１１            コネクタ取付け孔
１２            板バネ
１４            止め孔
１５            凸部
【図１】
2009021096.tif 000003
【図２】
2009021096.tif 000004
【図３】
2009021096.tif 000005
【図４】
2009021096.tif 000006
【図５】
2009021096.tif 000007
【図６】
2009021096.tif 000008
【図７】
2009021096.tif 000009
【図８】
2009021096.tif 000010
【図９】
2009021096.tif 000011
【図１０】
2009021096.tif 000012